(57)【要約】      （修正有）【課題】カードにデータ破壊策を施して、有価物を取り出すと自動的にデータが破壊されて消滅し、カードの復元ができなくなるパチンコ景品カードを提供する。【解決手段】基板１０と中板２０、及び中板２０上面に被せる透明カバー３０で構成したカード体１の短手方向に切り込みを設けてなるパチンコ景品カードにおいてデータエリアと同一線上に位置する中板２０の端部寄りに貫通孔２１を穿設する。貫通孔２１が、基板１０と透明カバー３０間に立設した支柱１２に嵌合され、透明カバー３０と基板１０が切り込みより左右に二分されて離間すると支柱１２によって中板２０の貫通孔２１とデータエリアが破壊される。【選択図】図１
0003144485.tif 000002
【実用新案登録請求の範囲】
【請求項１】
基板と、ＩＣチップ・データエリア等を搭載した中板と、中板上面に被せる透明カバーで構成したカード体の短手方向に切り込みを設けてなるパチンコ景品カードにおいて、データエリアと同一線上に位置する中板の端部寄りに貫通孔を穿設するとともに該貫通孔が、基板と透明カバー間に立設した支柱に嵌合されてなり、透明カバーと基板が切り込みより左右に二分されて離間すると支柱によって中板の貫通孔とデータエリアが破壊されるものであることを特徴とするデータ破壊策を施したパチンコ景品カード。
【請求項２】
前記データエリアが中板の長手方向に１カ所若しくは複数個所形成されたものであることを特徴とする請求項１記載のデータ破壊施策を施したパチンコ景品カード。
【請求項３】
支柱は基板若しくは透明カバーのいずれかと一体形成し、先端部を透明カバー若しくは基板のいずれかに固定するものであることを特徴とする請求項１又は２記載のデータ破壊策を施したパチンコ景品カード。
【請求項４】
基板と、ＩＣチップ・データエリア等を搭載した中板と、中板上面に被せる透明カバーで構成したカード体の短手方向に切り込みを設けてなるパチンコ景品カードにおいて、データエリアが中板の短手方向端部寄りに１カ所若しくは複数個所設けられ、中板の前記データエリアよりも内側に貫通孔を穿設するとともに該貫通孔が、基板と透明カバー間に立設した支柱に嵌合されてなり、透明カバーと基板が切り込みより左右に二分されて離間すると支柱によって中板の貫通孔とデータエリアが破壊されるものであることを特徴とするデータ破壊策を施したパチンコ景品カード。
【考案の詳細な説明】
【技術分野】
【０００１】  本考案はケース開封後の復元を不可とする、データ破壊策を施したパチンコ景品カードに関する。
【背景技術】
【０００２】  方形基盤の上面にＩＣチップと併設して金地金等の有価物やプリペイドカードを重ね合わせ、表面より透明ケースを被せたパチンコ景品カードは広く知られている（例えば特許文献１及び２参照）。有価物である金地金等は換金額と相当価値を有するものが内蔵されたものであり、内蔵された有価物を手元に置きたい場合は、透明ケースや基盤を分割できるように構成し、手でカードをつかんで開封し、内部の有価物を取り出しできることとした技術などが有効である（例えば特許文献３参照）。
【特許文献１】特開平７−２２５８２３号公報
【特許文献２】特開平１０−２４９０５２号公報
【特許文献３】登録実用新案第３１２４５１９号公報
【考案の開示】
【考案が解決しようとする課題】
【０００３】  特許文献３に記載の技術におけるパチンコ景品カードは、図５（ａ）に示すように合成樹脂からなる基板５０上に、販売事項等のデータファイルを有するＩＣチップ５２に併設して有価物５３を取り付けた中板５１を配置し、基板５０と中板５１の表面に透明ケース５４を被せて構成され、基板５０又は透明ケース５４の中央にＶ字形の切り込み５５を刻設したことを特徴としたもので、内部の有価物５３を取り出したい場合は両手でカードをつかみ、チョコレートを折る要領で左右の手に力を入れて（ｂ）のように切り込み５５から屈曲する。こうすることによって（ｃ）のように左右の基板５０と透明ケース５４とが分離できて中板５１を一方の側に露出させることができ、それによりカード内部の有価物５３もカード外に位置するので取り出しができる。【０００４】  しかしてこのように有価物５３自体は取り出しできるものの、中板５１には店舗情報や残高情報などの必要情報が磁気ストライプ（不図示）などに組み込まれたまゝであり、したがって有価物５３の取り出し後において復元が可能となり、偽造変造による不正使用がなされるおそれなしとしない。【０００５】  本来使用済みのカードは廃棄処分されるべきものであるが、カードを裁断処分するにはそれなりの煩わしい手数がかゝるので実行されにくいのと、また原形のまゝ処分するとデータが残るため取得した第三者に悪用されるおそれがある。更には自己のカードを悪意を持って変造することも可能であるため、有価物の取り出し後に使用済みカードの再使用を防止することは社会的課題ともいえる。【０００６】  本考案はこのような従来の課題に鑑みてなされたもので、カードに簡単なデータ破壊策を施して、有価物を取り出す際に自動的にデータが破壊消去されることを目的としたパチンコ景品カードを提供することを意図したものである。
【課題を解決するための手段】
【０００７】  そのために本考案は、基板と、ＩＣチップ・データエリア等を搭載した中板と、中板上面に被せる透明カバーで構成したカード体の短手方向に切り込みを設けてなるパチンコ景品カードにおいて、データエリアと同一線上に位置する中板の端部寄りに貫通孔を穿設するとともに該貫通孔が、基板と透明カバー間に立設した支柱に嵌合されてなり、透明カバーと基板が切り込みより左右に二分されて離間すると支柱によって中板の貫通孔とデータエリアが破壊されるものであることを特徴としている。【０００８】  前記データエリアが中板の長手方向に１カ所若しくは複数個所形成されたものであることを特徴とする。【０００９】  支柱は基板若しくは透明カバーのいずれかと一体形成し、先端部を透明カバー若しくは基板のいずれかに固定するものであることを特徴としている。【００１０】  基板と、ＩＣチップ・データエリア等を搭載した中板と、中板上面に被せる透明カバーで構成したカード体の短手方向に切り込みを設けてなるパチンコ景品カードにおいて、データエリアが中板の短手方向端部寄りに１カ所若しくは複数個所設けられ、中板の前記データエリアよりも内側に貫通孔を穿設するとともに該貫通孔が、基板と透明カバー間に立設した支柱に嵌合されてなり、透明カバーと基板が切り込みより左右に二分されて離間すると支柱によって中板の貫通孔とデータエリアが破壊されるものであることを特徴とする。
【考案の効果】
【００１１】  本考案の透明カバーと基板の間には支柱が立設され、中板にあけた貫通孔がこの支柱に嵌合している。有価物を取り出すためにカード体を切り込みより折り曲げて左右を離間させると、基板と透明カバー間には支柱が立設してあるため中板がこの支柱に遮られる。有価物を取り出すため更にカード体左右を外方に引っ張ると、支柱によって中板及び中板上のデータエリアが破壊されてデータが消失し、しかるのち有価物は引き出されて取り出しが可能となる。つまり有価物を取り出すためには自動的にデータエリアが破壊されることとなり、データの痕跡が全く残らない。このため有価物を取り出した後は本人がデータの改竄を試みてもカードの再生は不可能で変造・偽造は防止できる。当然ながら有価物取り出し後のカードを第三者が取得したとしてもデータが残っていないため不正使用をすることはできず処分したカードの復元はあり得ない。【００１２】  しかしてデータの破壊があっても有価物はそのまゝ取り出すことができて価値が低下することはなく、また切り込みから折れたカード体は原形とは異なる形体となるためそれ自体変造等の転用が難しく、データの消失と相まってカードの不正使用は二重に防止されるという効果大なるものがある。
【考案を実施するための最良の形態】
【００１３】  図面に基づき本考案の好適な実施形態を説明すると、図１は本考案のカード体１を示すもので、（ａ）は平面から見た概略、（ｂ）は（ａ）のＡ―Ａ線段階断面の概略、（ｃ）は（ｂ）の分解図である。符号１０は基板であり、２０は中板、３０は透明カバーで、基板１０に中板２０が埋設され、基板１０の下面中央に逆Ｖ字形の切り込み１１が刻設され、この切り込み１１を境としてカード体１が左右に分割できるようになっている。そして中板２０の上面を前記透明カバー３０が覆う構成となっているが、これらの形体と材質、例えば中板２０が紙製で基板１０が合成樹脂製であることなどは既存のパチンコ景品カードと特に異なることはないので詳細については省略する。【００１４】  基板１０上面には支柱１２が一体形成され、中板２０には支柱１２と嵌合する貫通孔２１が穿設され、また透明カバー３０下面には支柱１２の上端を係合固定する凹陥部３１が形成されていて基板１０と中板２０及び透明カバー３０が、支柱１２と嵌合する貫通孔２１によって結合される構成を採る。なお図示のように前記支柱１２を平面三角形状とした場合、当然ながら中板２０の貫通孔２１と透明カバー３０の凹陥部３１も三角形状となる。そして中板２０にはＩＣチップ（不図示）とともに、カード体１の換金額に相応しい金地金である有価物２２が併設されていて、透明カバー３０上から透視される。また図示はしないが中板２０の表面に各種絵柄模様やＱＲコードなどの印刷スペースが設けられるがこれらは任意事項でもある。【００１５】  図２は中板２０の説明図である。すなわち中板２０には有価物２２とともに各種情報を組み込んだ帯状のデータエリア２３が存在し、前記貫通孔２１はデータエリア２３と同一線上にあり、中板２０の端部近傍に穿設されている。図では中板２０の長手方向両側にデータエリア２３が形成されているが、カードにより１カ所若しくは複数個所形成される場合もあり、夫々のデータエリア２３の数に応じて前記支柱１２と貫通孔２１が形成される。【００１６】  図３はカード体１の左右を離間して中板２０上の有価物２２を取り出す手順を示すもので、先ず（ａ）のようにカード体１の左右をつかんで折り曲げる方向に力を入れると、基板１０の中央にあるＶ字形の切り込み１１を支点として透明カバー３０も矢指のように折れて全体が凹曲し、基板１０と透明カバー３０を分離することができる。中板２０は屈曲することはあっても中央で切断されることはなく、（ｂ）のように片側（図では右側）に力を入れて引っ張ると、基板１０と透明カバー３０の片方個所が引き出されるが中板２０は残る。基板１０と透明カバー３０には支柱１２が固定されているため引っ張ると同時に支柱１２によって中板２０の貫通孔２１が破られ、中板２０端部が欠損する。かくして欠損部２４個所に本来存在するところのデータエリア２３は自動的に破壊されるため、長手方向に残るデータエリア２３も当然ながら機能が消失して復元は不可能となる。すなわちデータエリア２３は、途中に貫通孔２１が存在しても端部側を含む全体がデータとして一貫性を有し、したがってデータエリア２３の一部が破壊されることはデータ全体の破壊を意味するものに他ならない。【００１７】  片側��基板１０と透明カバー３０を取り出すと中板２０の片側は露出し、したがって露出した部分に位置する有価物２２はそのまゝ取り出すことができる。図の場合は有価物２２を中板２０上の対向する２カ所に設けているので、この場合は支柱１２も対向状に設けられるが、露出した中板２０の端部をつかんで引き出すかカード体１の他側（左側）を引っ張ると支柱１２によって前述のようにこの部分のデータエリア２３が破壊されてデータは消失し、引き出された中板２０全体が露出するため残りの有価物２２も取り出すことができる。【００１８】  図４は本発明の他の実施形態における中板２０´を示す。すなわち中板２０´に有価物２２´を設けた点を含めカード体自体の構成は前記した実施形態と変わることがないが、この例ではデータエリア２３´を中板２０´の短手方向端部寄りに設けている（図では２カ所）点で異なる。そして中板２０´にはデータエリア２３´よりも内側に貫通孔２１´が穿設され、該貫通孔が前記実施形態と同様、基板と透明カバー間に立設した支柱（いずれも不図示）に嵌合され、透明カバーと基板が切り込みより左右に二分されて離間すると、支柱によって中板２０´の貫通孔２１´とデータエリア２３´が破壊される。つまりデータエリア２３´が短手方向に形成されても長手方向に形成されたと同様の効果が得られる。【００１９】  なお本考案では有価物２２・２２´の個数に限定はなく、また切り込み１１の位置なども図示のものに拘束されないこと勿論である。しかして本考案は基板１０と透明カバー３０間に支柱１２を立設し、中板２０に貫通孔２１を形成した簡単な構造のため特別の材料費などもかゝらず、製作が容易で安価量産に好適する副次的効果もある。
【図面の簡単な説明】
【００２０】
【図１】本考案を示し、（ａ）は平面、（ｂ）は（ａ）のＡ−Ａ線断面、（ｃ）は分解状態の説明図である。
【図２】中板を俯瞰した説明図である。
【図３】中板を取り出す手順を示し、（ａ）はカード体を切り込みから折り曲げた状態、（ｂ）はデータエリアが破壊された状態を示す説明図である。
【図４】他の実施形態である中板を示す説明図である。
【図５】従来例を示し、（ａ）は概略斜視図、（ｂ）は全体の折り曲げ状態、（ｃ）は有価物を露出させた状態の説明図である。
【符号の説明】
【００２１】  １    カード体
１０  基板
１１  切り込み
１２  支柱
２０  中板
２０´中板
２１  貫通孔
２１´貫通孔
２２  有価物
２２´有価物
２３  データエリア
２３´データエリア
２４  欠損部
３０  透明カバー
３１  凹陥部
【図１】
0003144485.tif 000003
【図２】
0003144485.tif 000004
【図３】
0003144485.tif 000005
【図４】
0003144485.tif 000006
【図５】
0003144485.tif 000007
【手続補正書】
【提出日】平成20年6月3日(2008.6.3)
【手続補正１】
【補正対象書類名】明細書
【補正対象項目名】００１４
【補正方法】変更
【補正の内容】
【００１４】  基板１０上面には支柱１２が一体形成され、中板２０には支柱１２と嵌合する貫通孔２１が穿設され、また透明カバー３０下面には支柱１２の上端を係合固定する凹陥部３１が形成されていて基板１０と中板２０及び透明カバー３０が、支柱１２と嵌合する貫通孔２１によって結合される構成を採る。なお図示のように前記支柱１２を平面三角形状とした場合、当然ながら中板２０の貫通孔２１と透明カバー３０の凹陥部３１も三角形状となる。そして中板２０にはＩＣチップ（不図示）とともに、カード体１の換金額に相応しい余地金である有価物２２が併設されていて、透明カバー３０上から透視される。また図示はしないが中板２０の表面に各種絵柄模様やＱＲコード（登録商標）などの印刷スペースが設けられるがこれらは任意事項でもある。